(57)【特許請求の範囲】
【請求項１】
壁面の開口部の上側に設けられたレールと、  上記レールに沿って転動する吊りローラを有し上記レールに沿って移動することにより上記開口部を開閉する引戸と、  上記引戸及び上記壁面の何れか一方に設けられた被ガイド部材と、  上記引戸及び上記壁面の何れか他方に設けられ上記引戸によって上記開口部を閉じる際上記被ガイド部材を介して上記引戸を上記開口部側に引き寄せる引き寄せガイド部材と、  を具備し、 上記レールには上記開口部から離間する側に向かって下り勾配となったレール側走行面が設けられており、 上記吊りローラには上記レール側走行面に当接・配置され上記開口部から離間する側に向かって拡径された吊りローラ側転動面が設けられており、 上記レール側走行面と上記吊りローラ側転動面の作用により上記引戸を上記開口部から離間する側に常時付勢するようにしたことを特徴とする引戸装置。
【請求項２】
請求項１記載の引戸装置において、  上記引戸の戸先側と戸尻側のそれぞれに上記被ガイド部材又は上記引き寄せガイド部材が設置されており、 上記壁面の戸先側と戸尻側のそれぞれには上記被ガイド部材又は上記引き寄せガイド部材に対応する上記引き寄せガイド部材又は上記被ガイド部材がそれぞれ設置されていることを特徴とする引戸装置。
【請求項３】
請求項２記載の引戸装置において、  上記戸先側の被ガイド部材と引き寄せガイド部材の高さ位置と上記戸尻側の被ガイド部材と引き寄せガイド部材の高さ位置を異ならせていることを特徴とする引戸装置。
【請求項４】
請求項１〜請求項３の何れかに記載の引戸装置において、  「全開状態」で上記吊りローラを保持する吊りローラ保持部材が設置されていることを特徴とする引戸装置。
【請求項５】
請求項４記載の引戸装置において、  上記吊りローラ保持部材は上記吊りローラを弾性保持する弾性部材であることを特徴とする引戸装置。
【請求項６】
請求項４又は請求項５記載の引戸装置において、  上記吊りローラは戸先側と戸尻側のそれぞれに設置されており、 上記吊りローラ保持部材は上記戸尻側の吊りローラを保持するものであることを特徴とする引戸装置。
【請求項７】
請求項１〜請求項６の何れかに記載の引戸装置において、  上記レールは上記戸先側から戸尻側に上り勾配で傾斜されていることを特徴とする引戸装置。
【請求項８】
請求項１〜請求項７の何れかに記載の引戸装置において、  上記吊りローラの設置高さを調整可能であることを特徴とする引戸装置。
【発明の詳細な説明】
【技術分野】
【０００１】
本発明は、例えば、クリーンルームの壁面に設けられた出入口用の開口部を気密状態で閉鎖する引戸装置に係り、特に、引戸によって上記開口部を閉じる際、該引戸を開口部側に引き寄せるための構成を簡略化させることができるように工夫したものに関する。
【背景技術】
【０００２】
従来の引戸装置の構成を開示するものとして、例えば、特許文献１がある。
なお、特許文献１は本件特許出願人によるものである。
特許文献１に記載された引戸装置は概略次のような構成になっている。まず、壁面の開口部の上側に設けられたレールがあり、上記レールに沿って転動する吊りローラを有する引戸が設置されている。上記レールには、上記開口部側に向かって傾斜されたレール側走行面が形成されており、上記吊りローラにも、上記レール側走行面と当接される吊りローラ側転動面が形成されている。上記引戸は、これらレール側走行面と吊りローラ側転動面の作用によって、常時、開口部側に付勢されている。
【０００３】
上記引戸には、上記吊りローラとは別に水平ローラが設置されており、上記レール側には上記水平ローラが転動・走行される水平ローラ走行溝が設けられている。この水平ローラ走行溝内には、上記水平ローラを介して上記引戸を上記開口部の反対側に移動させるための水平ローラ案内部材と、上記引戸を上記開口部の反対側に移動させた状態で上記レールに沿って移動させる水平ローラ走行部材が設置されている。
そして、上記引戸は、上記開口部を完全に閉鎖した「全閉状態」や上記開口部を完全に開放した「全開状態」では、上記開口部側に引き寄せられており、それ以外の状態、例えば、上記引戸を移動させている状態では上記開口部から離間する側に付勢されている。
【０００４】
引戸装置の構成を開示するものとして、それ以外に、特許文献２〜特許文献４、等がある。
【先行技術文献】
【特許文献】
【０００５】
【特許文献１】特開２０１４−１２９６４４号公報
【特許文献２】特開２０１１−７５２１３号公報
【特許文献３】特開２００７−１１３８８５号公報
【特許文献４】特開２０１１−６８６５号公報
【発明の概要】
【発明が解決しようとする課題】
【０００６】
しかし、従来の構成では、次のような問題があった。
特許文献１に記載された引戸装置の場合には、引戸によって開口部を閉じる際、該引戸を開口部側に引き寄せるための構成が複雑であるという問題があった。すなわち、吊りローラとレール以外に、水平ローラ、及び、上記水平ローラを案内し、転動・走行させるための水平ローラ案内部材と水平ローラ走行部、等が必要となるからである。
また、特許文献２〜特許文献４に記載されたものも、同様に、引戸によって開口部を閉じる際、該引戸を開口部側に引き寄せるための構成が複雑であるという問題があった。
【０００７】
本発明は、このような点に基づいてなされたもので、その目的とするところは、引戸によって開口部を閉じる際、該引戸を開口部側に引き寄せるための構成を簡略化させることが可能な引戸装置を提供することにある。
【課題を解決するための手段】
【０００８】
上記課題を解決するべく請求項１に記載された引戸装置は、壁面の開口部の上側に設けられたレールと、上記レールに沿って転動する吊りローラを有し上記レールに沿って移動することにより上記開口部を開閉する引戸と、上記引戸及び上記壁面の何れか一方に設けられた被ガイド部材と、上記引戸及び上記壁面の何れか他方に設けられ上記引戸によって上記開口部を閉じる際上記被ガイド部材を介して上記引戸を上記開口部側に引き寄せる引き寄せガイド部材と、を具備し、上記レールには上記開口部から離間する側に向かって下り勾配となったレール側走行面が設けられており、上記吊りローラには上記レール側走行面に当接・配置され上記開口部から離間する側に向かって拡径された吊りローラ側転動面が設けられており、上記レール側走行面と上記吊りローラ側転動面の作用により上記引戸を上記開口部から離間する側に常時付勢するようにしたことを特徴とするものである。  また、請求項２に記載された引戸装置は、請求項１記載の引戸装置において、上記引戸の戸先側と戸尻側のそれぞれに上記被ガイド部材又は上記引き寄せガイド部材が設置されており、上記壁面の戸先側と戸尻側のそれぞれには上記被ガイド部材又は上記引き寄せガイド部材に対応する上記引き寄せガイド部材又は上記被ガイド部材がそれぞれ設置されていることを特徴とするものである。  また、請求項３に記載された引戸装置は、請求項２記載の引戸装置において、上記戸先側の被ガイド部材と引き寄せガイド部材の高さ位置と上記戸尻側の被ガイド部材と引き寄せガイド部材の高さ位置を異ならせていることを特徴とするものである。  また、請求項４に記載された引戸装置は、請求項１〜請求項３の何れかに記載の引戸装置において、「全開状態」で上記吊りローラを保持する吊りローラ保持部材が設置されていることを特徴とするものである。  また、請求項５に記載された引戸装置は、請求項４記載の引戸装置において、上記吊りローラ保持部材は上記吊りローラを弾性保持する弾性部材であることを特徴とするものである。  また、請求項６に記載された引戸装置は、請求項４又は請求項５記載の引戸装置において、上記吊りローラは戸先側と戸尻側のそれぞれに設置されており、上記吊りローラ保持部材は上記戸尻側の吊りローラを保持するものであることを特徴とするものである。  また、請求項７に記載された引戸装置は、請求項１〜請求項６の何れかに記載の引戸装置において、上記レールは上記戸先側から戸尻側に上り勾配で傾斜されていることを特徴とするものである。  また、請求項８に記載された引戸装置は、請求項１〜請求項７の何れかに記載の引戸装置において、上記吊りローラの設置高さを調整可能であることを特徴とするものである。
【発明の効果】
【０００９】
以上述べたように、請求項１記載の引戸装置によると、壁面の開口部の上側に設けられたレールと、上記レールに沿って転動する吊りローラを有し上記レールに沿って移動することにより上記開口部を開閉する引戸と、上記引戸及び上記壁面の何れか一方に設けられた被ガイド部材と、上記引戸及び上記壁面の何れか他方に設けられ上記引戸によって上記開口部を閉じる際上記被ガイド部材を介して上記引戸を上記開口部側に引き寄せる引き寄せガイド部材と、を具備したため、上記引戸を上記開口部側に引き寄せるための構成は、上記被ガイド部材と上記引き寄せガイド部材だけであり、構成を簡略化することができる。
また、請求項２に記載された引戸装置は、請求項１記載の引戸装置において、上記レールには上記開口部から離間する側に向かって下り勾配となったレール側走行面が設けられており、上記吊りローラには上記レール側走行面に当接・配置され上記開口部から離間する側に向かって拡径された吊りローラ側転動面が設けられており、上記レール側走行面と上記吊りローラ側転動面の作用により上記引戸を上記開口部から離間する側に常時付勢するようにしたため、上記開口部を開放するために上記引戸を移動させる際には、自動的に上記引戸が上記開口部や上記壁面から離間され、容易に引戸を移動させることができる。
また、請求項３に記載された引戸装置は、請求項１又は請求項２記載の引戸装置において、上記引戸の戸先側と戸尻側のそれぞれに上記被ガイド部材又は上記引き寄せガイド部材が設置されており、上記壁面の戸先側と戸尻側のそれぞれには上記被ガイド部材又は上記引き寄せガイド部材に対応する上記引き寄せガイド部材又は上記被ガイド部材がそれぞれ設置されているため、上記引戸を安定させて移動させることができる。
また、請求項４に記載された引戸装置は、請求項３記載の引戸装置において、上記戸先側の被ガイド部材と引き寄せガイド部材の高さ位置と上記戸尻側の被ガイド部材と引き寄せガイド部材の高さ位置を異ならせているため、上記引戸が移動され、戸先側の被ガイド部材が戸尻側の引き寄せガイド付近を通過する際、上記戸先側の被ガイド部材が上記戸尻側の引き寄せガイドに衝突しないようにすることができる。
また、請求項５に記載された引戸装置は、請求項１〜請求項４の何れかに記載の引戸装置において、「全開状態」で上記吊りローラを保持する吊りローラ保持部材が設置されているため、上記開口部が開放された状態を維持できる。
また、請求項６に記載された引戸装置は、請求項５記載の引戸装置において、上記吊りローラ保持部材は上記吊りローラを弾性保持する弾性部材であるため、簡単な構成で、上記開口部が開放された状態を維持できる。
また、請求項７に記載された引戸装置は、請求項５又は請求項６記載の引戸装置において、上記吊りローラは戸先側と戸尻側のそれぞれに設置されており、上記吊りローラ保持部材は上記戸尻側の吊りローラを保持するものであるため、上記引戸装置をより簡単な構成とすることができる。
また、請求項８に記載された引戸装置は、請求項１〜請求項７の何れかに記載の引戸装置において、上記レールは上記戸先側から戸尻側に上り勾配で傾斜されているため、上記引戸を戸先側に移動させやすくすることができると共に、上記開口部を閉塞した際、上記引戸が不用意に戸尻側に移動されて上記開口部が開放されてしまうことを防止できる。
また、請求項９に記載された引戸装置は、請求項１〜請求項８の何れかに記載の引戸装置において、上記吊りローラの設置高さを調整可能であるため、上記引戸の高さ方向の位置を調整できると共に、上記レールが傾斜している場合は、上記レールの傾斜に対して上記引戸を水平に保ち、上記引戸を円滑に移動させるようにすることができる。
【図面の簡単な説明】
【００１０】
【図１】本発明の第１の実施の形態を示す図で、図１（ａ）は、引戸装置の引戸によって開口部を閉鎖した「全閉状態」を示す正面図、図１（ｂ）は、図１（ａ）のＩｂ−Ｉｂ断面図である。
【図２】本発明の第１の実施の形態を示す図で、図２（ａ）は、開口部を開放した「全開状態」を正面から視たレール付近の部分正面図、図２（ｂ）は、開口部を開放した「全開状態」を上側から視た開口部付近の部分断面図である。
【図３】本発明の第１の実施の形態を示す図で、図３（ａ）は、開口部を閉じる途中の状態を正面から視たレール付近の部分正面図、図３（ｂ）は、開口部を閉じる途中の状態を上側から視た開口部付近の部分断面図である。
【図４】本発明の第１の実施の形態を示す図で、図４（ａ）は、引戸装置の引戸によって開口部を閉鎖した「全閉状態」を正面から視たレール付近の部分正面図、図４（ｂ）は、引戸装置の引戸によって開口部を閉鎖した「全閉状態」を上側から視た開口部付近の部分断面図である。
【図５】本発明の第１の実施の形態を示す図で、図３（ａ）のＶ−Ｖ断面図である。
【図６】本発明の第１の実施の形態を示す図で、レールに対する戸先側引き寄せガイド部材と戸尻側引き寄せガイド部材の取付構造を示す分解斜視図である。
【図７】本発明の第１の実施の形態を示す図で、図７（ａ）は戸先側ローラユニットを正面側から見た斜視図、図７（ｂ）は戸先側ローラユニットを背面側から見た斜視図である。
【図８】本発明の第１の実施の形態を示す図で、図８（ａ）は戸尻側ローラユニットを正面側から見た斜視図、図８（ｂ）は戸尻側ローラユニットを背面側から見た斜視図である。
【図９】本発明の第１の実施の形態を示す図で、図９（ａ）は図３（ａ）におけるＩＸａ−ＩＸａ断面図、図９（ｂ）は図３（ａ）におけるＩＸｂ−ＩＸｂ断面図である。
【図１０】本発明の第１の実施の形態を示す図で、図１０（ａ）は開口部が閉鎖される直前における被ガイド部材と引き寄せガイド部材の関係を示す部分正面図、図１０（ｂ）は開口部が閉鎖される直前におけるローラユニットと被ガイド部材と引き寄せガイド部材の関係を示す部分平面図である。
【図１１】本発明の第１の実施の形態を示す図で、図１１（ａ）は図４（ａ）におけるＸＩａ−ＸＩａ断面図、図１１（ｂ）は図４（ａ）におけるＸＩｂ−ＸＩｂ断面図である。
【図１２】本発明の第１の実施の形態を示す図で、図１２（ａ）は開口部が閉鎖された状態における被ガイド部材と引き寄せガイド部材の関係を示す部分正面図、図１２（ｂ）は開口部が閉鎖された状態におけるローラユニットと被ガイド部材と引き寄せガイド部材の関係を示す部分平面図である。
【図１３】本発明の第２の実施の形態を示す図で、図１３（ａ）は引戸装置の引戸によって開口部を閉鎖した「全閉状態」を正面から視たレール付近の部分正面図、図１３（ｂ）は引戸装置の引戸によって開口部を閉鎖した「全閉状態」を正面から視た開口部の床面側付近の部分正面図である。
【発明を実施するための形態】
【００１１】
以下、図１乃至図１２を参照しながら、本発明の第１の実施の形態について説明する。
なお、第１の実施の形態は本願発明をクリーンルームの引戸装置に適用した例を示すものである。
上記引戸装置１は、図１、図２に示すように、壁面３に形成された開口部５の上方に設置されたレールユニット７と、このレールユニット７から吊り下げられた状態で移動し上記開口部５を開閉する引戸９と、から構成されている。
上記引戸装置１は、図４に示すように、上記引戸９が戸先側（図４（ａ）中左側）に移動されることにより上記開口部５を閉じ、図２に示すように、戸尻側（図２（ａ）中右側）に移動されることにより、上記開口部５を開放するものである。
【００１２】
まず、上記レールユニット７の構成について説明する。上記レールユニット７には、例えば、図１、図５に示すように、基板１１がある。この基板１１は、上側基板１３と下側基板１５とが組み合わされたものである。すなわち、上記上側基板１３の表側（図５中左側）には係合凸部１７が形成されているとともに、上記下側基板１５の裏側（図５中右側）には係合凹部１９が形成されており、上記係合凸部１７と上記係合凹部１９を係合させることで、上記上側基板１３と下側基板１５とが組み合わされている。
【００１３】
また、例えば、図５に示すように、上記上側基板１３の上端（図５中上側端）から表側（図５中左側）に向けてカバー取付部２１が突出・形成されている。このカバー取付部２１の先端側に図示しないカバーが取り付けられ、このカバーによって上記レールユニット７全体及び上記引戸９の上端部（図１中上側端部）が覆われる。
【００１４】
また、例えば、図５に示すように、上記レールユニット７の上記下側基板１５には、引き寄せガイド部材取付溝２３ａ、２３ｂが形成されている。そして、例えば、図６に示すように、上記レールユニット７の上記引き寄せガイド部材取付溝２３ａ、２３ｂには、戸先側引き寄せガイド部材２５と戸尻側引き寄せガイド部材２７が設置されている。上記戸先側引き寄せガイド部材２５には、基部２９があり、この基部２９の図６中上側から戸尻側（図６中右上側）に向けてガイド部３１が突出・形成されている。このガイド部３１は、外側（図６中右下側）に向けて広がるように屈曲されている。また、上記戸尻側引き寄せガイド２７も、上記戸先側引き寄せガイド２５と略同じ構成であるが、ガイド部３１は基部２９の図６中下側から戸尻側（図６中右上側）に向けて突出・形成されている。このように、戸先側引き寄せガイド部材２５のガイド部３１と戸尻側引き寄せガイド部材２７のガイド部３１はその高さ位置が異なるように構成されている。
【００１５】
また、例えば、図６に示すように、上記戸先側引き寄せガイド部材２５は、ネジ３５、３５、３５、３５を、上記基部２９を貫通させ、上記レールユニット７の下側基板１５の引き寄せガイド取付溝２３ａ、２３ｂ内に内装されたナット３３、３３、３３、３３に螺合させることによって取付・固定されている。上記戸尻側引き寄せガイド２７も、ネジ３５、３５、３５、３５を、上記基部２９を貫通し、上記レールユニット７の下側基板１５の引き寄せガイド取付溝２３ａ、２３ｂ内に内装されたナット３３、３３、３３、３３に螺合させることによって、上記レールユニット７に取付・固定されている。
【００１６】
また、例えば、図４に示すように、上記レールユニット７の戸尻側（図４（ａ）中右端側）には、取付部材４１を介して、吊りローラ保持部材４３が設置されている。この吊りローラ保持部材４３は、例えば、金属製の板バネのような弾性部材により構成されている。
【００１７】
また、例えば、図４に示すように、上記レールユニット７の、上記戸先側引き寄せガイド部材２５より戸先側（図４（ａ）中左側）には、戸先側ストッパ取付部材４５が設置されていると共に、上記吊りローラ保持部材４３より戸尻側（図４（ａ）中右側）には、戸尻側ストッパ取付部材４７が設置されている。
上記戸先側ストッパ取付部材４５の図４（ａ）中右側には、例えば、ゴム製の戸先側ストッパ４６が設置されており、上記戸尻側ストッパ取付部材４７の図４（ａ）中左側にも、ゴム製の戸尻側ストッパ４８が設置されている。
上記引戸９は、戸先側（図４（ａ）中左側）の端まで移動されると、後述する戸先側ローラユニット６３を介して上記戸先側ストッパ４６に当接され、戸尻側（図４（ａ）中右側）の端まで移動されると、後述する戸尻側ローラユニット６５を介して上記戸尻側ストッパ４８に当接される。
【００１８】
また、例えば、図５に示すように、上記レールユニット７の下側基板１５の下端（図５中下側端）から、外側（図５中左側）に向かって、レール５１が突出・形成されている。このレール５１の先端側（図５中左端側）は、図５中上側に向かって屈曲・形成されており、その上端面（図５中上側の面）にはレール側走行面５３が形成されている。このレール側走行面５３は、開口部５から離間する側（図５中左側）に向かって下り勾配に傾斜されており、その傾斜角度は、例えば、３．７°である。
【００１９】
また、図４に示すように、引戸９は、既に述べた開口部５を閉塞可能な大きさの引戸本体６１と、この引戸本体６１の上端面（図４（ａ）中上側の面）の戸先側（図４（ａ）中左側）に設置された戸先側ローラユニット６３と、上記引戸本体６１の上端面（図４（ａ）中上側の面）の戸尻側（図４（ａ）中右側）に設置された戸尻側ローラユニット６５とから構成されている。
【００２０】
上記戸先側ローラユニット６３は、図７に示すような構成となっており、上記戸尻側ローラユニット６５は、図８に示すような構成となっている。図７に示すように、上記戸先側ローラユニット６３には、まず、固定部６７がある。この固定部６７の正面側（図７（ａ）中右下側端）には、上方（図７中上側）に向けて垂直に屈曲された垂直部６９が設けられている。この垂直部６９の中央に長穴状のレール当接部材用貫通孔７１が形成されており、このレール当接部材用貫通孔７１の両側には、長穴状の高さ調整用貫通孔７３、７３が形成されている。また、この垂直部６９の上端（図７（ａ）中上側）には、正面側（図７（ａ）中右下側）に向けて屈曲された屈曲部７５が設けられていて、この屈曲部７５には高さ調整用雌ねじ部７７が形成されている。
【００２１】
上記固定部６７には、上記レール当接部材用貫通孔７１を貫通して背面側（図７（ｂ）中右下側）に突出された状態で、レール当接部材７８が設置されている。このレール当接部材７８は、レール当接部材取付部材８０を介して、上記固定部６７の垂直部６９に設置されている。上記レール当接部材７８は、ボルト８２を、上記レール当接部材取付部材８０を貫通させ、上記レール当接部材７８に螺合させることによって、上記レール当接部材取付部材８０に固定されている。また、上記レール当接部材取付部材８０は、ボルト８４、８４を、上記レール当接部材取付部材８０に貫通させ、上記固定部６７の上記垂直部６９に螺合させることによって、上記固定部６７に固定されている。
上記レール当接部材７８は、図５に示すように、上記レール５１の図５中下側の面に当接されている。
【００２２】
上記固定部６７の図７（ａ）中上側には、吊りローラ支持部７９が設置されている。この吊りローラ支持部７９には、図示しない軸を介して、吊りローラ８１が回転可能に設置されている。この吊りローラ８１は、例えば、図５に示すように、中央部が上記開口部５から離間する方向（図５中左側）に拡径されるようなテーパ形状になっており、既に述べたレール側走行面５３に対応した吊りローラ側転動面８３が形成されている。この吊りローラ側転動面８３と上記レール側走行面５３とが当接された状態で、上記吊りローラ８１が既に述べたレール５１に沿って転動される。これにより、上記引戸９は、図５、図９に示すように、既に述べた開口部５から離間する側であって下方（図５中左下側）に常時付勢されるようになっている。
また、上記吊りローラ８１の両端は拡径されていて鍔部８１ａ、８１ｂとなっている。
前記したように上記レール５１が上記レール当接部材７８によって当接されているとともに、上記吊りローラ８１の吊りローラ側転動面８３と上記レール５１のレール側走行面５３とが当接されていて、上記レール５１が上記吊りローラ８１と上記レール当接部材７８によって挟み込まれているとともに、上記吊りローラ側転動面８３の両端側に上記鍔部８１ａ、８１ｂが設けられているため、上記吊りローラ８１が上記レール５１から脱輪しないようになっている。
【００２３】
また、上記吊りローラ支持部８の正面側（図７（ａ）中右下側）には突出部８７が形成されている。上記吊りローラ支持部７９は、ボルト８５、８５を、上記固定部６７の上記垂直部６９の高さ調整用貫通孔７３、７３を貫通し、上記吊りローラ支持部７９に螺合するとともに、高さ調整用ボルト８９を、上記吊りローラ支持部７９の上記突出部８７を貫通し、上記固定部６７の屈曲部７５の高さ調整用雌ねじ部７７に螺合させることにより、上記固定部６７に固定されている。
また、上記ボルト８５、８５を緩めた状態で、上記高さ調整用ボルト８９を正転又は逆転させると、上記高さ調整用貫通孔７３、７３の図７（ａ）中上下端に上記ボルト８５、８５が当接するまでの範囲内で、上記吊りローラ支持部７９の高さ方向（図７（ａ）中上下方向）の位置、ひいては、吊りローラ８１の高さ方向（図７（ａ）中上下方向）の位置を調整することができる。
【００２４】
また、図７（ｂ）に示すように、上記吊りローラ支持部７９の背面側（図７（ｂ）中右下側）には、被ガイド部材取付部９１を介して、被ガイド部材９３が設置されている。上記戸先側ローラユニット６３の場合は、上記被ガイド部材９３が、図７（ｂ）中上側に突出するように設置されている。
また、上記被ガイド部材取付部９１は、ネジ９５、９５、９５、９５を、上記被ガイド部材取付部９１を貫通し、上記吊りローラ支持部７９に螺合することにより固定されている。
【００２５】
また、図８（ａ）、図８（ｂ）に示すように、上記戸尻側ローラユニット６５も、上記戸先側ローラユニット６３と同様の構成であるが、上記被ガイド部材９３の取付方向が反対になっている。すなわち、上記戸尻側ローラユニット６５の場合は、上記被ガイド部材９３が、図８（ｂ）中下側に突出するように設置されている。このように、戸先側の被ガイド部材９３と戸尻側の被ガイド部材９３の高さ位置は、既に説明した戸先側引き寄せガイド部材２５のガイド部３１と戸尻側引き寄せガイド部材２７のガイド部３１の高さ位置に対応するように、異なる位置に設定されている。
なお、その他の構成は上記戸先側ローラユニット６３の構成と同じであり、図中同一部分には同一符号を付して示しその説明を省略する。
【００２６】
そして、図９乃至図１２に示すように、上記引戸９は戸先側（図１０中左側）に移動されていくと、上記戸先側ローラユニット６３の上記被ガイド部材９３が既に述べた戸先側引き寄せガイド部材２５に当接・案内されるとともに、上記戸尻側ローラユニット６５の上記被ガイド部材９３が既に述べた戸尻側引き寄せガイド部材２７に当接・案内されることにより、上記開口部５側（図１０（ａ）中紙面垂直方向奥側、図１０（ｂ）中上側）に引き寄せられ、上記開口部５が閉塞されることになる。
【００２７】
なお、既に述べた壁面３の上記開口部５の下を除く外周側には、図９に示すように、パッキン９６が設置されており、上記引戸９は上記開口部５側（図１０（ａ）中紙面垂直方向奥側、図１０（ｂ）中上側）に引き寄せられると、上記パッキン９６と密着される。また、図１に示すように、上記引戸９の下端側にもパッキン９７が設置されており、このパッキン９７は上記床面９９と接している。
このような構成により、上記引戸９が上記開口部５側（図１０（ａ）中紙面垂直方向奥側、図１０（ｂ）中上側）に引き寄せられると、上記引戸９と上記パッキン９６及び上記パッキン９７によって、上記開口部５が完全に閉塞されるようになっている。
【００２８】
また、図５に示すように、上記戸先側ローラユニット６３の被ガイド部材９３と上記戸尻側引き寄せガイド部材２７が干渉しないように、その高さが異なる位置に設定されていることは前述した通りである。
【００２９】
また、例えば、上記引戸９の図１（ａ）中下端側には、板状の下側ローラ走行部材１０１が設置されている。また、この下側ローラ走行部材１０１の戸尻側（図２（ｂ）中右端側）には、下側ガイド部材１０２が設置されている。
また、上記開口部５の幅方向一端側（図１（ａ）中左側）の正面側（図１中紙面垂直方向手前側）の床面９９には、下側ローラ設置部材１０３を介して下側ローラ１０５が回転可能に設置されており、上記開口部５の幅方向他端側（図１（ａ）中右側）の正面側（図１（ａ）中紙面垂直方向手前側）の床面９９には、下側ローラ設置部材１０７を介して下側ローラ１０９が回転可能に設置されている。
なお、上記下側ローラ設置部材１０３は、図１（ｂ）に示すように、Ｌ字形の断面形状を有する下側アングル材１１１と上側アングル材１１３とから構成されており、上記下側ローラ設置部材１０７も、Ｌ字形の断面形状を有する下側アングル材１１５と上側アングル材１１７とから構成されている。
また、壁面３の、上記開口部５の戸尻側（図１（ａ）中右側）の図１（ａ）中下側であって、正面側（図１（ａ）中紙面垂直方向手前側）には、引戸当接ブロック１１９が設置されている。
【００３０】
上記引戸９が「全閉状態」以外の場合は、例えば、図２（ｂ）、図３（ｂ）に示すように、上記引戸９の背面側（図２（ｂ）中上側）と上記引戸当接ブロック１１９とが当接した状態となっている。
そして、上記引戸９を図２（ｂ）中左側に移動させていくと、「全閉状態」となる直前に上記引戸９の下側ガイド部材１０２の戸先側の傾斜面１２５と上記下側ローラ１０９とが当接される。ここから更に上記引戸９を戸先側（図２（ｂ）中左側）に移動させると、既に述べた戸先側ローラユニット６３の被ガイド部材９３と戸先側引き寄せガイド部材２５及び戸尻側ローラユニット６５の被ガイド部材９３と戸尻側引き寄せガイド部材２７による上記引戸９の引き寄せに合わせて、上記下側ガイド部材１０２の戸先側の傾斜面１２５と上記下側ローラ１０９との作用により、上記引戸９の下端側も上記開口部５側（図２（ｂ）中上側）に付勢される。
また、「全閉状態」となると、図４（ｂ）に示すように、上記下側ガイド部材１０２の正面側の平坦面１２７と上記下側ローラ１０９とが当接すると共に、上記下側ローラ１０５と上記引戸９の下側ローラ走行部材１０１の戸先側（図４（ｂ）中左端側）とが当接する。
【００３１】
また、図１に示すように、上記引戸９の正面側（図１中紙面垂直方向手前側）には取っ手１２１が設置されており、使用者が正面側（図１中紙面垂直方向手前側）にいる場合は、この取っ手１２１を介して上記引戸９を移動させることになる。また、図２（ｂ）に示すように、上記引戸９の背面側（図２（ｂ）中上側）には、引手１２３が設置されており、上記使用者が背面側（図１中紙面垂直方向奥側）にいる場合は、この引手１２３に、例えば、手を入れて、上記引戸９を移動させることになる。
【００３２】
次に、図２乃至図４、及び、図９乃至図１２を参照しながら、この第１の実施の形態による引戸装置１の作用について説明する。
まず、図２に示すように、引戸９を戸尻側（図２中右側）に移動させ、開口部５を完全に解放させた「全開状態」について説明する。
このとき、上記引戸９は、吊りローラ８１の吊りローラ側転動面８３とレール５１のレール側走行面５３との作用により、図９に示すように、開口部５から離間する側（図９中左側）に付勢されている。
なお、図９は「全開状態」における図ではないが、吊りローラ８１の吊りローラ側転動面８３とレール５１のレール側走行面５３の関係は同じである。
また、戸尻側ローラユニット６５の吊りローラ８１は、吊りローラ保持部材４３の弾性力によって弾性・保持されている。これにより、上記引戸９の閉方向（図２中左側）への不用意な移動が防止されている。
また、図２（ｂ）に示すように、上記引戸９の背面側（図２（ｂ）中上側）と上記引戸当接ブロック１１９とが当接している。
【００３３】
次に、上記引戸９を、図２に示すような「全開状態」から、戸先側（図２中左側）に移動させていく状態について説明する。
このときは、図３に示すような状態を経て、図９及び図１０に示すような状態になる。すなわち、戸先側ローラユニット６３の被ガイド部材９３が戸先側引き寄せガイド２５のガイド部３１に当接され、上記戸尻側ローラユニット６５の被ガイド部材９３が戸尻側引き寄せガイド２７のガイド部３１に当接された状態となるまで上記引戸９が移動される。
このときも、依然として、上記引戸９は、吊りローラ８１の吊りローラ側転動面８３とレール５１のレール側走行面５３との作用により、図９に示すように、開口部５から離間する側（図９中左側）に付勢されているとともに、図３（ｂ）に示すように、上記引戸９の背面側（図３（ｂ）中上側）と上記引戸当接ブロック１１９とが当接した状態となっている。
【００３４】
次に、図９及び図１０に示す状態から、上記引戸９を戸先側（図１０中左側）にさらに移動させて、図４、図１１、及び、図１２に示すように、上記開口部５を完全に閉塞する「全閉状態」とする場合について説明する。
このとき、上記戸先側ローラユニット６３の被ガイド部材９３が戸先側引き寄せガイド２５のガイド部３１によってガイドされるとともに、上記戸尻側ローラユニット６５の被ガイド部材９３が戸尻側引き寄せガイド２７のガイド部３１によってガイドされ、上記引戸９が上記開口部５側に引き寄せられつつ戸先側（図１０中左側）へと移動される。また、上記引戸９の下端側も、下側ガイド部材１０２の戸先側の傾斜面１２５と上記下側ローラ１０９との作用により、上記開口部５側（図４（ｂ）中上側）に付勢される。
そして、上記引戸９が開口部５側に引き寄せられてパッキン９６と密着され、また、上記引戸９と床面９９との間にはパッキン９７が設置されているため、上記開口部５が完全に閉塞される「全閉状態」となる。また、「全閉状態」では、上記下側ガイド部材１０２の正面側の平坦面１２７と上記下側ローラ１０９とが当接すると共に、上記下側ローラ１０５と上記引戸９の下側ローラ走行部材１０１の戸先側（図４（ｂ）中左端側）とが当接する。
【００３５】
次に、本実施の形態による引戸装置１の効果について説明する。
まず、引戸９によって壁面３の開口部５を閉じる際、引戸９を開口部５側に引き寄せるための構成を簡略化させることができる。すなわち、戸先側ローラユニット６３の被ガイド部材９３が戸先側引き寄せガイド部材２５によってガイドされるとともに、戸尻側ローラユニット６５の被ガイド部材９３が戸尻側引き寄せガイド部材２７によってガイドされることにより、上記引戸９が上記開口部５側に引き寄せられる構成となっており、上記引戸９を上記開口部５側に引き寄せるための構成は、上記被ガイド部材９３、９３と上記戸先側引き寄せガイド部材２５と上記戸尻側引き寄せガイド部材２７だけであり、構成を簡略化することができる。
また、上記引戸９は、吊りローラ８１の吊りローラ側転動面８３とレール５１のレール側走行面５３との作用により、図９に示すように、開口部５から離間する側（図９中左側）に付勢されているため、上記開口部５を開放するために上記引戸９を移動させる際には、上記引戸９が自動的に上記開口部５や壁面３から離間されるので、上記引戸９を容易に移動させることができる。特に、「全閉状態」では、上記引戸９はパッキン９６と密着されているが、「全閉状態」以外の状態では、このパッキン９６から上記引戸９が離間されるので、上記パッキン９６による抵抗がない状態で上記引戸９を容易に移動させることができる。
【００３６】
また、上記引戸９には、戸先側に、上記戸先側ローラユニット６３の被ガイド部材９３と戸先側引き寄せガイド部材２５が設置されているとともに、戸尻側に、上記戸尻側ローラユニット６５の被ガイド部材９３と戸尻側引き寄せガイド部材２７が設置されていて、戸先側と戸尻側の二箇所でガイドするように構成されているので、上記引戸９を安定した状態で開口部５側に移動させることができる。
【００３７】
また、上記戸先側ローラユニット６３の被ガイド部材９３や戸先側引き寄せガイド部材２５のガイド部３１の高さ位置と、上記戸尻側ローラユニット６５の被ガイド部材９３や上記戸尻側引き寄せガイド部材２７のガイド部３１の高さ位置が異なる位置に設定されているので、上記引戸９の開閉に際して、上記戸先側ローラユニット６３の被ガイド部材９３が上記戸尻側引き寄せガイド部材２７に干渉することはない。
【００３８】
また、「全開状態」では、上記戸尻側ローラユニット６５の吊りローラ８１が吊りローラ保持部材４３によって保持されているので、「全開状態」を維持することができ、不用意に上記開口部５が閉じられてしまうことを防止することができる。
また、上記吊りローラ保持部材４３は板バネからなるので、上記引戸９を保持する機構を簡単な構成で実現できる。
また、上記引戸９が「全閉状態」以外の場合は、例えば、図２（ｂ）、図３（ｂ）に示すように、上記引戸９の背面側（図２（ｂ）中上側）と上記引戸当接ブロック１１９とが当接した状態となっているため、移動中や「全開状態」で上記引戸９を安定させることができる。
また、「全閉状態」でも、図４（ｂ）に示すように、上記下側ガイド部材１０２の正面側の平坦面１２７と上記下側ローラ１０９とが当接すると共に、上記下側ローラ１０５と上記引戸９の下側ローラ走行部材１０１の戸先側（図４（ｂ）中左端側）とが当接するので、上記引戸９を安定させることができる。
【００３９】
次に、図１３を参照しながら、本発明の第２の実施の形態について説明する。この第２の実施の形態の場合の引戸装置１１１も、前記第１の実施の形態による引戸装置と同様の構成であるが、レール５１が戸尻側（図１３中右側）に向かって上り勾配に傾斜されている。この第２の実施の形態の場合には、上記レール５１の傾斜は、例えば、上記レール５１の戸先側（図１３中左側）の端と戸尻側（図１３中右側）の端との高さの差が１２ｍｍであり、引戸９が「全閉状態」から「全開状態」まで移動する際に、５ｍｍ押し上げられるように設定されている。
また、このレール５１に傾斜に合わせて、上記引戸９が水平となるように、戸先側ローラユニット６３の吊りローラ８１の設置高さよりも、戸尻側ローラユニット６５の吊りローラ８１の設置高さを高く設定している。これらの吊りローラ８１、８１の高さの設定は、既に述べたように、ボルト８５、８５を緩めた状態で、高さ調整用ボルト８９を正転又は逆転させることで、高さ調整用貫通孔７３、７３の図１３中上下端に上記ボルト８５、８５が当接するまでの範囲内で、上記吊りローラ支持部７９の高さ方向（図７（ａ）中上下方向）の位置を調整することによって行われる。
【００４０】
そのため、上記引戸９は、常時、戸先側に向かって付勢されており、これにより、「全閉状態」が維持され上記引戸９により閉鎖された開口部５が不用意に解放されないようになっている。
また、開口部５を開放するために、上記引戸９を戸尻側（図１３中右側）に移動させていくと、図１３（ｂ）に示すように、上記引戸９によって上記開口部５を閉鎖していた際には床面９９と接していたパッキン９７が、上記引戸９とともに上記床面９９から離間されていくので、上記床面９９と上記パッキン９７との接触抵抗がなくなり、上記引戸９の移動が容易になる。
なお、図１３（ｂ）中、実線で描かれた上記引戸９は「全閉状態」のものであり、仮想線で描かれた上記引戸９は「全開状態」のものである。
また、上記戸先側ローラユニット６３の吊りローラ８１の設置高さよりも、戸尻側ローラユニット６５の吊りローラ８１の設置高さを高く設定して、上記引戸９を水平にしているので、上記引戸９を円滑に移動させることができるとともに、上記パッキン９７と上記床面９９とが平行になり、上記引戸９を「全閉状態」とした際に、上記開口部５の気密性を高めることができる。
なお、その他の構成は前記第１の実施の形態の場合と同様であり、図中同一部分には同一符号を付して示しその説明を省略する。
【００４１】
なお、本発明は、前記第１、第２の実施の形態に限定されるものではない。
まず、吊りローラユニットの数は、前記第１、第２の実施の形態の場合のような２つに限定されず、３つ以上用いる場合も考えられる。
また、上記吊りローラユニットの個数に応じて、引き寄せガイドの個数も様々な場合が考えられる。
また、被ガイド部材がレール側に設けられ、引き寄せガイドが引戸側に設けられる場合も考えられる。
【００４２】
また、吊りローラ側転動面やレール側走行面の傾斜角度も様々な場合が考えられ、特に、３°〜５°の範囲の任意の数値に設定される場合が考えられる。
また、吊りローラ保持部材の材質には、様々な場合が考えられる。
また、前記第１、第２の実施の形態の場合には、クリーンルームに適用した例を説明したが、それに限定されるものではなく、食品工場、精密部品工場、冷蔵室、各種試験・研究室、等様々な場所に適用可能である。
その他、図示した構成はあくまで一例である。
【産業上の利用可能性】
【００４３】
本発明は、壁面に設けられた出入口用の開口部を気密状態で閉鎖する引戸装置に係り、特に、引戸によって上記開口部を閉じる際、該引戸を開口部側に引き寄せるための構成を簡略化させることができるように工夫したものに関し、例えば、クリーンルームの出入口の引戸装置に好適である。
【符号の説明】
【００４４】
１  引戸装置
３  壁面
５  開口部
９  引戸
２５  戸先側引き寄せガイド部材
２７  戸尻側引き寄せガイド部材
４３  吊りローラ保持部材
５１  レール
５３  ローラ側走行面
８１  吊りローラ
８３  吊りローラ側転動面
９３  被ガイド部材
【図１】
0005976084.tif 000002
【図２】
0005976084.tif 000003
【図３】
0005976084.tif 000004
【図４】
0005976084.tif 000005
【図５】
0005976084.tif 000006
【図６】
0005976084.tif 000007
【図７】
0005976084.tif 000008
【図８】
0005976084.tif 000009
【図９】
0005976084.tif 000010
【図１０】
0005976084.tif 000011
【図１１】
0005976084.tif 000012
【図１２】
0005976084.tif 000013
【図１３】
0005976084.tif 000014